(57)【要約】【課題】取水口スクリーンに付着した塵芥を取水口スクリーンから確実に除去して、流下させること。【解決手段】取水口ゲート１０１の閉制御をおこない（ステップＳ３０３）、開度が１０ｃｍになったら（ステップＳ３０４：Ｙｅｓ）、閉制御を一旦停止する（ステップＳ３０５）。つぎに、取水口ゲート１０１を１ｃｍだけ降下させ（ステップＳ３０６）、５分が経過したら（ステップＳ３０９：Ｙｅｓ）、ステップＳ３０６へ移行する。これを繰り返して、取水口ゲート１０１が全閉となったら（ステップＳ３０７：Ｙｅｓ）、全閉継続時間、全閉を維持して（ステップＳ３１１：Ｙｅｓ）、その後、取水口ゲート１０１の開制御をする（ステップＳ３１２）。これにより、除塵のために取水口ゲート１０１を全閉にしても、水力発電機のトリップ発生を防止できる。【選択図】図３
2020147999.tif 000002
【特許請求の範囲】
【請求項１】
塵芥の進入を防ぐ取水口スクリーンを通過した水の水力発電機への取水量を調整する取水口ゲートにおける開閉を制御する取水口ゲート制御方法であって、
所定のタイミングで、前記取水口ゲートを全閉にして、前記取水口スクリーンに付着した塵芥を取り除く除塵制御をおこなうことを特徴とする取水口ゲート制御方法。
【請求項２】
前記除塵制御は、前記取水口ゲートを所定の時間（以下「全閉時間」という）だけ全閉にすることを特徴とする請求項１に記載の取水口ゲート制御方法。
【請求項３】
前記除塵制御は、前記全閉時間の長さを調整することを特徴とする請求項２に記載の取水口ゲート制御方法。
【請求項４】
前記除塵制御は、
前記取水口ゲートを所定の位置まで閉じる第１の制御と、
前記第１の制御によって、前記取水口ゲートを前記所定の位置まで閉じた後、前記取水口ゲートを全閉するまで閉じる第２の制御と、
を含み、
前記第２の制御にかかる時間を所定の時間（以下「第２の制御時間」という）以上とすることを特徴とする請求項１〜３のいずれか一つに記載の取水口ゲート制御方法。
【請求項５】
前記第２の制御時間は、サージングが沈静化する時間であることを特徴とする請求項４に記載の取水口ゲート制御方法。
【請求項６】
前記第２の制御は、前記所定の位置から全閉までの距離を複数に分割し、分割された距離分だけ前記取水口ゲートを閉じる制御と、当該制御をおこなった後、所定の時間（以下「休止時間」という）だけ前記取水口ゲートを閉じるのを休止する制御とを、繰り返しておこなうことを特徴とする請求項４または５に記載の取水口ゲート制御方法。
【請求項７】
前記所定の位置は、前記取水口ゲートを当該所定の位置まで閉じた状態において、前記水力発電機にトリップが発生しない位置であることを特徴とする請求項４〜６のいずれか一つに記載の取水口ゲート制御方法。
【請求項８】
前記所定の位置から全閉までの距離を１０分割以上に分割することを特徴とする請求項５〜７のいずれか一つに記載の取水口ゲート制御方法。
【請求項９】
前記所定の位置は、取水口ゲートの開度が略１０ｃｍであることを特徴とする請求項４〜８のいずれか一つに記載の取水口ゲート制御方法。
【請求項１０】
前記分割された距離分は、略１ｃｍであることを特徴とする請求項６〜９のいずれか一つに記載の取水口ゲート制御方法。
【請求項１１】
前記休止時間は、略５分間以上であることを特徴とする請求項６〜９のいずれか一つに記載の取水口ゲート制御方法。
【請求項１２】
前記取水口スクリーンの上流と下流との水位差が所定値以上になった場合に、前記除塵制御を開始することを特徴とする請求項１〜１１のいずれか一つに記載の取水口ゲート制御方法。
【発明の詳細な説明】
【技術分野】
【０００１】
この発明は、取水口スクリーンを通過した水の水力発電機への取水量を調整する取水口ゲートにおける開閉を制御する取水口ゲート制御方法に関する。
【背景技術】
【０００２】
水力発電用などの取水路において、取水路の入り口である取水口の設けられた取水口スクリーンにゴミや流木などの塵芥が多量に付着した時には、取水口スクリーンの破損を防止するため、塵芥を取り除く除塵制御をおこなっている。除塵制御は、取水量を調整するための取水口ゲートを閉じて、それによって、取水口スクリーンに付着した塵芥を河川へ流下させる取水口ゲート自動制御によりおこなうことができる。
【０００３】
具体的には、取水口スクリーンに塵芥が付着すると、取水口スクリーンの上流側と下流側とで水位差が生じる。この水位差を、取水口ゲートを閉じることにより解消すれば、塵芥を取水口スクリーンから剥がして河川へ流下させることができる。
【０００４】
そして、水槽水位が低下した場合には、水力発電機が重故障（「発電機トリップ」）となるため、取水口ゲートを、発電機トリップが発生しない所定の開度、たとえば約１０ｃｍまで閉じていた。「発電機トリップ」とは、保護機能が働いて回路が遮断されることである。このようにして、従来から、取水口ゲートの制御により、取水口スクリーンの塵芥の除塵制御をおこなっていた。
【０００５】
関連する技術として、具体的には、たとえば、取水口を２以上有する水路と、取水口それぞれに設置され塵芥を捕捉するスクリーンと、各スクリーンの下流側に配置され膨張しスクリーンが配置された第１取水部、第２取水部を閉鎖可能な閉鎖手段と、を有し、１以上の取水口からの取水を継続し、他の取水口からの取水を停止することで、取水を継続しつつスクリーンに付着する塵芥を除去可能な取水設備に関する技術がある（たとえば、下記特許文献１を参照。）。
【０００６】
また、関連する技術として、具体的には、たとえば、スクリーンの下流側の取水口の底部に、スクリーンの高さ方向中間部までの高さを有する障害物を、水の流れ方向に間隔をおいて撤去可能に設置し、スクリーンの略下半分を通過した水の流れを障害物に当てて、スクリーンの上流側に戻すことで、水の流れによってスクリーンの略下半分に浮遊物が付着するのを防止するスクリーンの構造に関する技術がある（たとえば、下記特許文献２を参照。）。
【０００７】
また、関連する技術として、具体的には、たとえば、所定時間範囲における取水の平均水位を、理想水位に近づけるために、取水口ゲートの開度を調整する制御手段を用いて実行する際に、所定時間範囲を前時間帯と後時間帯とに分割する取水量の調整方法に関する技術がある（たとえば、下記特許文献３を参照。）。
【先行技術文献】
【特許文献】
【０００８】
【特許文献１】特開２０１８−９６０８８号公報
【特許文献２】特開２０１６−１３５９５５号公報
【特許文献３】特開２０１４−０９９９９１号公報
【発明の概要】
【発明が解決しようとする課題】
【０００９】
しかしながら、取水口ゲートを全閉にせずに、発電機トリップが発生しない所定の開度である、たとえば約１０ｃｍまでしか閉じなかった場合は、取水口スクリーンの十分な除塵ができない。すなわち、取水口ゲートを全閉しない状態では、塵芥が取水口スクリーンから完全に外れて流下せず、取水再開時に塵芥が再び取水口スクリーンへ付着してしまう。
【００１０】
これを解消するためには、取水口ゲートの開閉を頻繁に繰り返す必要があったが、取水口ゲートの開閉を頻繁に繰り返すことで、結果として、溢水が多く発生してしまうという問題点があった。
【００１１】
この発明は、上述した従来技術による問題点を解消するため、取水口スクリーンに付着した塵芥を取水口スクリーンから確実に除去して、流下させることを目的とする。
【課題を解決するための手段】
【００１２】
上述した課題を解決し、目的を達成するため、この発明にかかる取水口ゲート制御方法は、塵芥の進入を防ぐ取水口スクリーンを通過した水の水力発電機への取水量を調整する取水口ゲートにおける開閉を制御する取水口ゲート制御方法であって、所定のタイミングで、前記取水口ゲートを全閉にして、前記取水口スクリーンに付着した塵芥を取り除く除塵制御をおこなうことを特徴とする。
【００１３】
また、この発明にかかる取水口ゲート制御方法は、上記発明において、前記除塵制御が、前記取水口ゲートを所定の時間（以下「全閉時間」という）だけ全閉にすることを特徴とする。
【００１４】
また、この発明にかかる取水口ゲート制御方法は、上記発明において、前記除塵制御が、前記全閉時間の長さを調整することを特徴とする。
【００１５】
また、この発明にかかる取水口ゲート制御方法は、上記発明において、前記除塵制御が、前記取水口ゲートを所定の位置まで閉じる第１の制御と、前記第１の制御によって、前記取水口ゲートを前記所定の位置まで閉じた後、前記取水口ゲートを全閉するまで閉じる第２の制御と、を含み、前記第２の制御にかかる時間を所定の時間（以下「第２の制御時間」という）以上とすることを特徴とする。
【００１６】
また、この発明にかかる取水口ゲート制御方法は、上記発明において、前記第２の制御時間が、サージングが沈静化する時間であることを特徴とする。
【００１７】
また、この発明にかかる取水口ゲート制御方法は、上記発明において、前記第２の制御が、前記所定の位置から全閉までの距離を複数に分割し、分割された距離分だけ前記取水口ゲートを閉じる制御と、当該制御をおこなった後、所定の時間（以下「休止時間」という）だけ前記取水口ゲートを閉じるのを休止する制御とを、繰り返しておこなうことを特徴とする。
【００１８】
また、この発明にかかる取水口ゲート制御方法は、上記発明において、前記所定の位置が、前記取水口ゲートを当該所定の位置まで閉じた状態において、前記水力発電機にトリップが発生しない位置であることを特徴とする。
【００１９】
また、この発明にかかる取水口ゲート制御方法は、上記発明において、前記所定の位置から全閉までの距離を１０分割以上に分割することを特徴とする。
【００２０】
また、この発明にかかる取水口ゲート制御方法は、上記発明において、前記所定の位置が、取水口ゲートの開度が略１０ｃｍであることを特徴とする。
【００２１】
また、この発明にかかる取水口ゲート制御方法は、上記発明において、前記分割された距離分が、略１ｃｍであることを特徴とする。
【００２２】
また、この発明にかかる取水口ゲート制御方法は、上記発明において、前記休止時間が、略５分間以上であることを特徴とする。
【００２３】
また、この発明にかかる取水口ゲート制御方法は、上記発明において、前記取水口スクリーンの上流と下流との水位差が所定値以上になった場合に、前記除塵制御を開始することを特徴とする。
【発明の効果】
【００２４】
この発明にかかる取水口ゲート制御方法によれば、取水口スクリーンに付着した塵芥を取水口スクリーンから確実に除去して、流下させることができる。
【図面の簡単な説明】
【００２５】
【図１】この発明にかかる実施の形態の取水口ゲート制御方法における取水路の概要を示す説明図である。
【図２】この発明にかかる実施の形態の取水口ゲート制御方法を実現する制御装置の機能的構成の一例を示す説明図である。
【図３】この発明にかかる実施の形態の取水口ゲート制御方法の制御手順の一例を示すフローチャートである。
【図４】この発明にかかる実施の形態の取水口ゲート制御方法の制御の内容の一例を示す説明図（その１）である。
【図５】この発明にかかる実施の形態の取水口ゲート制御方法の制御の内容の一例を示す説明図（その２）である。
【図６】この発明にかかる実施の形態の取水口ゲート制御方法の制御の内容の一例を示す説明図（その３）である。
【図７】この発明にかかる実施の形態の取水口ゲート制御方法の制御の内容の一例を示す説明図（その４）である。
【図８】この発明にかかる実施の形態の取水口ゲート制御方法の制御の内容の一例を示す説明図（その５）である。
【発明を実施するための形態】
【００２６】
以下に添付図面を参照して、この発明にかかる取水口ゲート制御方法の好適な実施の形態を詳細に説明する。
【００２７】
（取水路の概要）
図１は、この発明にかかる実施の形態の取水口ゲート制御方法における取水路の概要を示す説明図であり、取水路の断面図を示している。図１において、河川から流入した水を、水力発電機１５０へ供給する取水路１００は、図１における左側の取水口から水を取り込んで、取り込んだ水を、右側にある水力発電機１５０へ供給する。
【００２８】
取水路１００は、取水口ゲート１０１と、取水口スクリーン１０２と、を備える。取水口ゲート１０１は、開閉することによって、取水路１００に取り込まれた水の水位や取水量を調節する。また、取水口スクリーン１０２は、取水路１００の先端の取水口に設けられる。取水口スクリーン１０２は、図１に示す断面図において、所定の角度をもって斜めに配置される。
【００２９】
河川からの水は、取水口スクリーン１０２を介して、取水路１００に取り込まれる。取水口スクリーン１０２は、たとえば、格子などが配置されており、塵芥が取水路１００内に流入するのを防止することができる。塵芥は、具体的には、たとえば、木の枝やゴミ、流木などの浮遊物を含む。これらの塵芥は、水力発電機１５０に取り込まれることで、水力発電機１５０が重大な故障を招くことになるため、確実に取水路１００への進入を防止する必要がある。
【００３０】
さらに、取水口スクリーン１０２の上側には、スクリーン天端１０３が設けられている。通常時の日中は、このスクリーン天端１０３の上に、図示を省略するバックホウなどの重機を移動させて、ショベルを用いて、取水口スクリーン１０２に付着した塵芥を除去する作業をおこなう。
【００３１】
しかし、河川の流入量が増加して、スクリーン天端１０３が水没した場合には、バックホウなどの重機は使用できないので、それに代わる、塵芥の除塵作業が必要となる。そこで、取水口ゲート１０１による取水量の調整をすることで、取水口スクリーン１０２に付着した塵芥を除去する。
【００３２】
また、図示は省略するが、取水口スクリーン１０２の下側には、排砂取水口ゲート１０１が設けられていてもよい。排砂取水口ゲート１０１は、取水口スクリーン１０２から剥がされた塵芥を流下させることができる。
【００３３】
（制御装置の機能的構成）
図２は、この発明にかかる実施の形態の取水口ゲート制御方法を実現する制御装置の機能的構成の一例を示す説明図である。図２において、取水口ゲート１０１を制御する制御装置２００は、取水口ゲート１０１開閉制御部２０１と、水位差測定部２０２と、取水口ゲート１０１開度検知部２０３と、計時部（タイマー）２０４と、を備える構成となっている。
【００３４】
取水口ゲート１０１開閉制御部２０１は、取水口ゲート１０１の開閉を制御する。取水口ゲート１０１開閉制御部２０１は、具体的には、たとえば、取水口ゲート１０１を上下させる機構を備え、取水口ゲート１０１を上昇させることで、取水口ゲート１０１における開口部分を広げて、取水量を増加させることができる。反対に、取水口ゲート１０１開閉制御部２０１は、取水口ゲート１０１を降下させることで、取水口ゲート１０１における開口部分を狭めて、取水量を減少させることができる。
【００３５】
水位差測定部２０２は、取水口スクリーン１０２の上流側と下流側のそれぞれの水位を測定し、測定の結果に基づいて両者の水位差を算出し、その算出された水位差に関する情報を取水口ゲート１０１開閉制御部２０１へ送る。そして、取水口ゲート１０１開閉制御部２０１は、水位差測定部２０２から受け取った水位差に関する情報に基づいて、取水口スクリーン１０２の上流側と下流側の水位差が所定の値以上の場合に、除塵制御（取水口ゲート１０１の閉制御）を開始する。
【００３６】
たとえば、取水口スクリーン１０２の設計水位差が２．００ｍであれば、出水により取水口スクリーン１０２が水没した状態で塵芥が多量に付着した場合、設計水位差を超過し取水口スクリーン１０２が破損する虞れがあるため、上記所定の値は、設計水位差よりも少ない、１．５０ｍ程度であればよい。
【００３７】
取水口ゲート１０１開度検知部２０３は、取水口ゲート１０１の開度を検知して、その検知された開度に関する情報を取水口ゲート１０１開閉制御部２０１へ送る。そして、取水口ゲート１０１開閉制御部２０１は、取水口ゲート１０１開度検知部２０３によって検知された開度に関する情報に基づいて、所定の位置（開度約１０ｃｍ）に達した場合には、一旦、取水口ゲート１０１の閉動作を停止する。ここまでの制御を「第１の制御」とする。
【００３８】
また、取水口ゲート１０１開閉制御部２０１は、その後、取水口ゲート１０１開度検知部２０３によって検知された開度に関する情報に基づいて、約１ｃｍ降下させた場合に、取水口ゲート１０１の閉動作を停止する。取水口ゲート１０１開閉制御部２０１は、取水口ゲート１０１が全閉となるまで、この動作を繰り返す。
【００３９】
計時部（タイマー）２０４は、時間を計時し、所定時間が経過した場合に、取水口ゲート１０１開閉制御部２０１へ伝える。計時部（タイマー）２０４は、取水口ゲート１０１を約１ｃｍ降下させてから、約５分間を計時し、約５分間が経過した際に、その旨を取水口ゲート１０１開閉制御部２０１へ伝える。
【００４０】
そして、取水口ゲート１０１開閉制御部２０１から伝えられる時間に基づいて、再び、取水口ゲート１０１を約１ｃｍ降下させる。計時部（タイマー）２０４と取水口ゲート１０１開閉制御部２０１は、取水口ゲート１０１が全閉となるまで、この動作を繰り返す。具体的には、１０ｃｍを１回に１ｃｍずつ降下させるので、「１ｃｍの降下処理」と「５分間の休止処理」の処理のセットを１０回（正確には、「１ｃｍの降下処理」を１０回と、それらの間の「５分間の休止処理」を９回）繰り返す。ここまでの制御を「第２の制御」とする。
【００４１】
このように、除塵制御が、取水口ゲート１０１を所定の位置まで閉じる第１の制御と、第１の制御によって、取水口ゲート１０１を所定の位置まで閉じた後、取水口ゲート１０１を全閉するまで閉じる第２の制御と、を含み、第２の制御にかかる時間を所定の時間（約５０分間）以上とする。これにより、第２の制御を、時間をかけて段階的に閉制御することで、水力発電機１５０のトリップの発生を防止することができる。
【００４２】
さらに、第２の制御が、所定の位置（開度約１０ｃｍ）から全閉までの距離を複数（１０回）に分割し、分割された距離（約１ｃｍ）分だけ取水口ゲート１０１を閉じる制御と、当該制御をおこなった後、所定の休止時間（約５分間）だけ取水口ゲート１０１を閉じるのを休止する制御とを、繰り返して（１０回）おこなうので、これにより、応水停止によるサージングの発生を抑制することができる。なお、サージングについての詳細は後述する。
【００４３】
また、所定の位置（開度約１０ｃｍ）が、取水口ゲート１０１を当該所定の位置まで閉じた状態において、水力発電機１５０にトリップが発生しない位置であり、当該所定の位置までは、水力発電機１５０のトリップの発生を考慮せずに通常どおりの取水口ゲート１０１の閉操作をすることができるので、除塵制御の全体時間を短縮することができる。
【００４４】
また、計時部（タイマー）２０４は、取水口ゲート１０１が全閉になってから、全閉継続時間（より具体的には約３０分間、あるいは、１０分間）、さらには、２回目加算時間（より具体的には約３０分間、あるいは，約５分間）を計時し、それらの時間が経過した際に、その旨を取水口ゲート１０１開閉制御部２０１へ伝える。そして、取水口ゲート１０１開閉制御部２０１から伝えられる時間に基づいて、取水口ゲート１０１を上昇させる。
【００４５】
このように、除塵制御が、前記取水口ゲート１０１を所定の時間（「全閉継続時間」＋「２回目加算時間」＝「全閉時間」）だけ全閉にする。溢水を考慮すると、全閉時間は、短い方がよい。そこで、この全閉時間の長さを調整し、十分な除塵の効果が得られる最適な時間を模索することができる。それにより、溢水電力低減を防止しつつ、確実な除塵を実現することができる。
【００４６】
（取水口ゲート制御方法の制御手順）
図３は、この発明にかかる実施の形態の取水口ゲート制御方法の制御手順の一例を示すフローチャートである。
【００４７】
図３のフローチャートにおいて、まず、水位差が１．５ｍ以上になったか否かを判断する（ステップＳ３０１）。ここで、水位差が１．５ｍ以上になっていない場合（ステップＳ３０１：Ｎｏ）は、何もしない（たとえば、後述する図４に示す状態）。そして、たとえば、後述する図５に示す状態のように、水位差が１．５ｍ以上になった場合（ステップＳ３０１：Ｙｅｓ）は、除塵制御、すなわち、取水口ゲート１０１の閉制御を開始する（ステップＳ３０２）。
【００４８】
そして、取水口ゲート１０１の閉制御を（通常の速度で）連続的におこない（ステップＳ３０３）、取水口ゲート１０１の開度が１０ｃｍになったか否かを判断する（ステップＳ３０４）。ここで、未だに取水口ゲート１０１の開度が１０ｃｍに達していない場合（ステップＳ３０４：Ｎｏ）は、ステップＳ３０３へ戻って、引き続き、取水口ゲート１０１の閉制御をおこなう。そして開度が１０ｃｍになった場合（ステップＳ３０４：Ｙｅｓ）は、ここで、取水口ゲート１０１の閉制御を一旦停止する（ステップＳ３０５）。ここまでが、「第１の制御」である（たとえば、後述する図６に示す状態）。
【００４９】
つぎに、取水口ゲート１０１を１ｃｍだけ降下させ、取水口ゲート１０１の開度を−１ｃｍとする（ステップＳ３０６）。そして、それにより、取水口ゲート１０１が全閉となったか否かを判断する（ステップＳ３０７）。ここで、取水口ゲート１０１が全閉となっていない場合（ステップＳ３０７：Ｎｏ）は、タイマー２０４をオンにし、時間を計時する（ステップＳ３０８）。
【００５０】
そして、タイマー２０４の計時が５分を経過したか否かを判断する（ステップＳ３０９）。ここで、５分を経過するのを待って（ステップＳ３０９：Ｎｏ）、５分が経過した場合（ステップＳ３０９：Ｙｅｓ）は、ステップＳ３０６へ移行する。そして、さらに、取水口ゲート１０１を１ｃｍだけ降下させ、取水口ゲート１０１の開度を−１ｃｍとする（ステップＳ３０６）。
【００５１】
開度が１０ｃｍで、１ｃｍずつ降下するので、ステップＳ３０６〜Ｓ３０９のステップを１０回繰り返す。そして、それにより、取水口ゲート１０１が全閉となった場合（ステップＳ３０７：Ｙｅｓ）は、たとえば、後述する図７に示す状態となり、ここでも、タイマー２０４をオンにし、時間を計時する（ステップＳ３１０）。
【００５２】
そして、タイマー２０４の計時が全閉継続時間を経過したか否かを判断する（ステップＳ３１１）。ここでタイマー２０４が計時するのは、全閉継続時間であってもよく、また、２回目加算時間を加算した時間であってもよい。つぎに、全閉継続時間を経過するのを待って（ステップＳ３１１：Ｎｏ）、全閉継続時間が経過した場合（ステップＳ３１１：Ｙｅｓ）は、全閉状態から、取水口ゲート１０１の開制御をおこなう（ステップＳ３１２）。それが、たとえば、後述する図８に示す状態である。これにより、一連の処理を終了する。
【００５３】
（取水口ゲート１０１の制御の内容）
つぎに、取水口ゲート１０１の制御の内容を図４〜図８を用いて説明する。図４〜図８は、この発明にかかる実施の形態の取水口ゲート制御方法の制御の内容の一例を示す説明図である。
【００５４】
図４は、通常時における取水路１００の状態を示している。図４において、取水口スクリーン１０２に塵芥が付着しておらず、塵芥が、取水口スクリーン１０２を追加する水の流れを阻害しないため、取水口スクリーン１０２の上流（河川）の水位と下流（取水路１００）の水位とで、その水位差はほとんどない。この状態では、除塵制御をする必要はない。
【００５５】
図１においても説明したように、取水口ゲート１０１は、開度を調整することによって、取水口スクリーン１０２を通過した水の流入量（取水量）を調整する。調整された水量の水が取水口ゲート１０１を追加して、図４においては、記載を省略する水力発電機１５０へ送られる。
【００５６】
その後、時間経過とともに、河川の上流から流れてきた塵芥（ゴミや木の枝などの浮遊物）５０１が、取水口スクリーン１０２に付着する。図５は、スクリーンに塵芥５０１が付着している状況を示している。塵芥５０１が取水口スクリーン１０２に付着することによって、水流が取水口スクリーン１０２によって堰き止められる。そうすると、図５に示すように、取水口スクリーン１０２の上流（河川側）の水位と下流（取水路１００側）の水位とで、水位差が発生する。
【００５７】
出水により取水口スクリーン１０２が水没した状態で塵芥５０１が多量に付着した場合に、設計水位差を超過して取水口スクリーン１０２が破損する虞れがある。また、下流（取水路１００）の水位が下がることで、取水量が減少し、発電量の低下を招く虞れがある。したがって、設計水位差に達する前に、水位差を回復させ、塵芥５０１をスクリーンから離し、排砂取水口ゲート１０１から流下させる必要がある。
【００５８】
そこで、「第１の制御」として、取水口ゲート１０１を制御して、開度１０ｃｍに達するまで、閉動作がおこなわれるような制御（閉制御）をおこなう。図６は、閉制御をおこない、取水口ゲート１０１を開度１０ｃｍのところまで下げた（閉じた）状態を示している。すなわち、「第１の制御」が完了した状態を示している。
【００５９】
これにより、取水口スクリーン１０２の上流（河川側）の水位と下流（取水路１００側）の水位との間で生じた水位差を回復させることができる。しかしながら、この状態では、図６にも示すように、未だに、取水口スクリーン１０２の上流（河川側）の水位と下流（取水路１００側）の水位との間での水位差が完全に解消されず、水位差は未だに生じているため、塵芥５０１が取水口スクリーン１０２から十分に離れない。したがって、取水再開後に再付着してしまう。
【００６０】
すなわち、すぐに、図５に示した状態に戻ってしまうことになる。そして、その戻ってしまう状態を解消するために、何度も水位差運転を繰り返すことによって、その都度発電の応水停止により溢水が発生してしまう。したがって、取水口ゲート１０１を全閉しないと、水位差をなくすることはできず、十分な除塵処理とはいえない。
【００６１】
一方、取水口ゲート１０１を全閉してしまうと、発電機トリップが発生する。発電機トリップが発生すると、保護機能が働いて回路が遮断されてしまうため、発・変電課の現地対応が必要であり、水力発電システム全体に大きな影響が出る。
【００６２】
発明者らは、取水口ゲート１０１を全閉することによって応水停止後、導水路内においてサージングが発生し、水槽水位が増減していることを発見した。サージングとは、水槽で行き場を失った水が上流側へ逆流・流下を繰り返す現象である。よって、発明者らは、取水口ゲート１０１を全閉することによって応水停止した場合に、水が無くなったことが要因ではなく、取水口全閉までの時間が短いことが原因で、サージングにより一時的に水槽水位が低下し、発電機トリップが発生している可能性が高いことを突き止めた。
【００６３】
そして、検証の結果、速やかな取水口ゲート１０１の降下かつサージングによる水槽水位の低下を抑えるためには、取水口ゲート１０１の開度１０ｃｍから全閉までの間、すなわち「第２の制御」は、時間をかけて段階的に閉制御することが有効であると発明者らは考えた。
【００６４】
そこで、図６に示した状態から全閉までは、段階制御（「第２の制御」）をおこない、ゆっくりと取水口ゲート１０１を閉める。具体的には、取水口ゲート１０１の開度１０ｃｍから全閉までは、１ｃｍ降下して５分休止を繰り返す。したがって、取水口ゲート１０１の開度１０ｃｍから全閉までは、約５０分かけて「第２の制御」をおこなう。
【００６５】
これにより、発電機トリップの発生を防いだ上で、取水口ゲート１０１の全閉を実現でき、それによって、取水口スクリーン１０２の除塵を確実におこなうことができるようになった。
【００６６】
図７は、取水口ゲート１０１を全閉した状態を示している。図７に示すように、取水口ゲート１０１を全閉し、所定時間（全閉継続時間）、全閉状態を維持することによって、水位差がなくなり、塵芥５０１がスクリーンから確実に除去されることになる。そのための、全閉継続時間は、具体的には３０分程度である。また、その際、２回目加算時間として約３０分を加算し、合計して全閉時間は、約６０分とするようにしてもよい。
【００６７】
また、全閉継続時間は、具体的には１０分程度である。また、その際、２回目加算時間として約５分を加算し、合計して全閉時間を、約１５分とするようにしてもよい。この程度でも、塵芥５０１が取水口スクリーン１０２から十分に離れることが、実験でわかっている。
【００６８】
そして、全閉時間が経過した後、取水口ゲート１０１の開制御をおこない、取水口ゲート１０１を上昇させる。図８は、取水口ゲート１０１を開制御して、通常時に戻った状態を示している。塵芥５０１も十分に除去されている。したがって、取水口ゲート１０１の開閉制御を頻繁におこなわなくて済む。
【００６９】
以上説明したように、この発明にかかる実施の形態の取水口ゲート制御方法は、塵芥５０１の進入を防ぐ取水口スクリーン１０２を通過した水の水力発電機１５０への取水量を調整する取水口ゲート１０１における開閉を制御するにあたり、所定のタイミングで、取水口ゲート１０１を全閉にして、取水口スクリーン１０２に付着した塵芥５０１を取り除く除塵制御をおこなう。
【００７０】
それによって、取水口スクリーン１０２の上流と下流との水位差をなくすることで、取水口スクリーン１０２に付着した塵芥５０１を取水口スクリーン１０２から確実に除去して、流下させることができる。また、除塵のための取水口ゲート１０１の制御回数を減らすことができ、結果として、溢水電力を低減させることができる。
【００７１】
また、この発明にかかる実施の形態の取水口ゲート制御方法は、除塵制御が、前記取水口ゲート１０１を所定の時間（「全閉時間」）だけ全閉にする。また、この全閉時間の長さを調整するので、それにより、溢水電力低減を防止しつつ、確実な除塵を実現することができる。
【００７２】
また、この発明にかかる実施の形態の取水口ゲート制御方法は、除塵制御が、取水口ゲート１０１を所定の位置まで閉じる第１の制御と、第１の制御によって、取水口ゲート１０１を所定の位置まで閉じた後、取水口ゲート１０１を全閉するまで閉じる第２の制御と、を含み、第２の制御にかかる時間を所定の時間（「第２の制御時間」）以上とする。これにより、第２の制御を、時間をかけて段階的に（ゆっくりと）閉制御することで、水力発電機１５０のトリップの発生を防止することができる。
【００７３】
また、この発明にかかる実施の形態の取水口ゲート制御方法は、第２の制御時間が、サージングが沈静化する時間であってもよい。これにより、応水停止によるサージングを原因とする水力発電機１５０のトリップの発生を防止することができる。
【００７４】
また、この発明にかかる実施の形態の取水口ゲート制御方法は、第２の制御が、所定の位置から全閉までの距離を複数に分割し、分割された距離分だけ取水口ゲート１０１を閉じる制御と、当該制御をおこなった後、所定の時間（「休止時間」）だけ取水口ゲート１０１を閉じるのを休止する制御とを、繰り返しておこなうので、これにより、応水停止によるサージングの発生を抑制することができる。
【００７５】
また、この発明にかかる実施の形態の取水口ゲート制御方法は、所定の位置が、取水口ゲート１０１を当該所定の位置まで閉じた状態において、水力発電機１５０にトリップが発生しない位置であるので、これにより、当該所定の位置までは、水力発電機１５０のトリップの発生を考慮せずに通常どおりの取水口ゲート１０１の閉操作をすることができ、除塵制御の全体時間を短縮することができる。
【００７６】
また、この発明にかかる実施の形態の取水口ゲート制御方法は、所定の位置から全閉までの距離を１０分割以上に分割する。また、この発明にかかる実施の形態の取水口ゲート制御方法は、所定の位置が、取水口ゲート１０１の開度が略１０ｃｍ程度である。また、この発明にかかる実施の形態の取水口ゲート制御方法は、分割された距離分が、略１ｃｍである。また、この発明にかかる実施の形態の取水口ゲート制御方法は、休止時間が、略５分間以上である。このように、発明者らの検証の結果、取得した数値を用いることにより、水力発電機１５０のトリップの発生を確実に防止することができる。
【００７７】
また、この発明にかかる実施の形態の取水口ゲート制御方法は、取水口スクリーン１０２の上流と下流との水位差が所定値以上になった場合に、除塵制御を開始するので、取水口スクリーン１０２への塵芥５０１の付着の状況に基づいて、効率的にかつ自動的に除塵制御を実行することができる。
【産業上の利用可能性】
【００７８】
以上のように、この発明にかかる取水口ゲート制御方法は、塵芥の進入を防ぐ取水口スクリーンを通過した水の水力発電機への取水量を調整する取水口ゲートにおける開閉を制御する取水口ゲート制御方法であり、特に、取水口スクリーンに付着した塵芥を取水口スクリーンから確実に除去して、流下させることができる取水口ゲート制御方法に適している。
【符号の説明】
【００７９】
１００  取水路
１０１  取水口ゲート
１０２  取水口スクリーン
１０３  スクリーン天端
１５０  水力発電機
２００  制御装置
２０１  取水口ゲート開閉制御部
２０２  水位差測定部
２０３  取水口ゲート開度検知部
２０４  計時部（タイマー）
５０１  塵芥
【図１】
2020147999.tif 000003
【図２】
2020147999.tif 000004
【図３】
2020147999.tif 000005
【図４】
2020147999.tif 000006
【図５】
2020147999.tif 000007
【図６】
2020147999.tif 000008
【図７】
2020147999.tif 000009
【図８】
2020147999.tif 000010